(57)【要約】  【課題】必要十分な強度を保ち且つ小型化が可能な構造を有し、好適に揺動可能な椅子を提供する。  【解決手段】座受け３１の一部に常に当接し且つ座受け３１及び座本体３０に依存せずに支持部Ａの前方位置における当接部位ｐが上下動作する回動部材６０４を具備し、該回動部材６０４の動作に追従して、支持部Ａを支点として座部３を揺動させる揺動機構６を具備している。  【選択図】図２
2005279065.tif 000002
【特許請求の範囲】
【請求項１】
使用者による着座荷重を受ける座本体と、
この座本体を下方から支持し且つ脚部に支持された支持体と、
前記支持体において前記脚部により支持される支持部を支点として前記座本体及び支持体を上下に揺動させる揺動機構とを具備するものであって、
前記揺動機構が、前記支持体の一部に常に当接し且つ前記支持体及び座本体に依存せずに前記支持部の前方位置又は後方位置において少なくとも前記支持体の一部に対する当接部位が上下動作する上下動作部を具備し、該上下動作部の動作に追従して、前記支持部を支点として前記支持体及び座本体を一体に揺動させるように構成していることを特徴とする椅子。
【請求項２】
前記上下動作部が、回動動作を伴って上下動作する回動部材を具備し、該回動部材の上向面を前記支持体の一部に対して下方から当接させている請求項１記載の椅子。
【請求項３】
前記回動部材が縦断面視円形状をなす回動部材本体を具備するものであり、この回動部材本体の中心軸線と、前記回動部材を回動駆動する主軸の中心軸線とを偏位させて設定している請求項２記載の椅子。
【請求項４】
前記上下動作部が、前記脚部に対し回動可能に取り付けた前記主軸と、前記主軸に固定され該主軸の中心軸線から偏位した位置に中心軸線を有する副軸とをさらに具備してなり、該副軸を前記回動部材本体の回動中心軸としている請求項３記載の椅子。
【請求項５】
前記回動部材が、前記主軸及び副軸と共に回動する前記回動部材本体と、この回動部材本体の外周に沿って配置されるとともに前記支持体の一部に当接する当接部材とを有している請求項４記載の椅子。
【請求項６】
前記回動部材本体と当接部材との間に介在して当接部材を回動部材本体に対して空転させる空転部材を具備している請求項４又は５記載の椅子。
【請求項７】
前記主軸と前記脚部との間に該主軸を回動可能に支持する軸受部材を設け、この軸受部材が前記主軸と共に回動する回動部と、前記脚部に固定されて前記回動部を回動可能に支持する固定部とを具備している請求項３、４、５又は６記載の椅子。
【請求項８】
前記回動部と前記固定部との間に介在して前記回動部を前記固定部に対して滑動させる滑動部材を具備している請求項７記載の椅子。
【請求項９】
前記脚部が、その主要部をなす脚本体と、該脚本体と前記支持体との間に介在して前記上下動作部の少なくとも一部を隠蔽するケースとを具備するものであり、該ケースに前記主軸を支持させている請求項３、４、５、６、７又は８記載の椅子。
【請求項１０】
前記支持体が支持体本体と、該支持体本体に取り付けられ前記回動部材に常に当接するスペーサとを具備している請求項２、３、４、５、６、７、８又は９記載の椅子。
【請求項１１】
前記スペーサに前記支持体本体に対する取付位置を、上下方向及び前後方向に調節可能な位置調節部を形成している請求項１０記載の椅子。
【請求項１２】
前記スペーサが前記支持体本体が有する立壁にボルトを介して固定されるものであり、前記位置調節部が、上下方向及び前後方向に傾斜する長孔として前記立壁に形成された前記ボルトを挿通し得るボルト挿通孔である請求項１１記載の椅子。
【請求項１３】
前記支持体本体に開口部を形成し、該開口部に前記スペーサを取り付けている請求項１０、１１又は１２記載の椅子。
【発明の詳細な説明】
【技術分野】
【０００１】
本発明は、座部を揺動させることが可能な椅子に関するものである。
【背景技術】
【０００２】
従来、長時間の着座による使用者の疲労を緩和させるために、座部を一定周期で揺動させる椅子が提案されている。このような椅子は、座部を支持軸などで脚部に支持するとともに座部の前方を一定周期で昇降させることによって座部を反復的に揺動させ、着座時における使用者の臀部、大腿部、腰背部の疲労および下肢の腫脹を軽減するようにしたものである。このような椅子は、具体的には、モータの駆動力による回転運動を上下動作に変換するカムと、カムによる上下動作力を座部に伝達するクランクからなる昇降機構を具備しており、前記上下動作力を座部の前方に伝達することにより座部を一定周期で揺動させるようにしている（たとえば、特許文献１参照）。このような構成の結果、使用者の臀部、大腿部、腰背部に対して特定の箇所に荷重が掛かった状態を回避するとともに、揺動によって血行が促されるため、使用者は長時間の着座による疲労が緩和されるとともに、特に上述した特許文献１に記載の椅子は、座を揺動させた状態においても使用者の視点が上下動することを回避して使用者に不快感を与えることを有効に回避している。  
【特許文献１】特開２００３−３８２８６号公報
【発明の開示】
【発明が解決しようとする課題】
【０００３】
しかしながら、上述のような構成の椅子は、モータの駆動力を座部に伝えるためには最低でもカムとクランクという２つの部品を必要としているうえ、構造上、モータからカム、クランクを介して座部に至るまで最低でも３箇所の軸着箇所が必要である。このことが昇降機構を構成する部品点数をいきおい増加させ、椅子の構造を複雑なものとする要因となっていた。一方、前記昇降機構には、座部に掛かる着座荷重に耐え得る支持強度が要求されるが、前述の通りその構造が複雑であるため、昇降機構を構成するそれぞれ部品を大型化して強度を高めなければならず、このことが昇降機構をコンパクトに構成することに対する妨げとなっていた。
【０００４】
本発明は、このような不具合に着目したものであり、必要十分な強度を保ち且つ小型化が可能な構造を有し、好適に揺動可能な椅子を提供する。  
【課題を解決するための手段】
【０００５】
本発明は、このような目的を達成するために、次のような手段を講じたものである。すなわち、本発明に係る椅子は、使用者による着座荷重を受ける座本体と、この座本体を下方から支持し且つ脚部に支持された支持体と、前記支持体において前記脚部により支持される支持部を支点として前記座本体及び支持体を上下に揺動させる揺動機構とを具備するものであって、前記揺動機構が、前記支持体の一部に常に当接し且つ前記支持体及び座本体に依存せずに前記支持部の前方位置又は後方位置において少なくとも前記支持体の一部に対する当接部位が上下動作する上下動作部を具備し、該上下動作部の動作に追従して、前記支持部を支点として前記支持体及び座本体を一体に揺動させるように構成していることを特徴とする。
【０００６】
このようなものであれば、上下動作部が直接支持体を上下動させる構成であるため、座本体及び支持体を上下動作させるためにカムのみならずクランクや多数の軸着箇所を設けている従来の椅子と比較して部品点数を有効に削減して、構成を簡素化することができる。また、それぞれの部品に必要十分の強度を付与することにより座本体及び支持体に掛かる着座荷重に十分耐え得る構成としても部品点数の削減により全体をコンパクトに構成することが可能である。さらに、上下動作部は支持体に対して常に当接した状態を保つことにより上下動作部と当接部位とが動作中に衝突しない構成として、該衝突に係る衝撃が使用者に伝わることを有効に回避するとともに、前記衝突による損傷や摩耗を有効に回避して支持体及び上下動作部の耐久性を向上させることが可能となる。なお、本発明でいうところの「支持体」とは、座本体を支持し且つ座本体と一体に連動するものであれば良く、例えば、座受けやフレーム、シェル等の部位又は部材を含む概念で表されるものである。
【０００７】
安定した動作を実現させやすく、精度を高めやすい回動運動を採用して支持体を上下動させるためには、前記上下動作部に、回動動作を伴って上下動作する回動部材を設け、該回動部材の上向面を前記支持体の一部に対して下方から当接させているものが望ましい。
【０００８】
また、上方からの荷重など、外側からの外力や圧力に対して強い形状である縦断面円形の部材を採用して好適に上下動作部を構成するためには、前記回動部材に縦断面視円形状をなす回動部材本体を設けて、この回動部材本体の中心軸線と、前記回動部材を回動駆動する主軸の中心軸線とを偏位させて設定することが望ましい。回動部材について詳細には、前記上下動作部に、前記脚部に対し回動可能に取り付けた前記主軸と、前記主軸に固定され該主軸の中心軸線から偏位した位置に中心軸線を有する副軸とをさらに設け、該副軸を前記回動部材本体の回動中心軸とすることを挙げることができる。
【０００９】
支持体及び座部を適切に揺動させるという機能を維持しつつ回動部材の仕様の自由度を高め、かつ、回動部材の回動動作による支持体との摩擦抵抗及びそれに伴う損耗を防止するためには、前記回動部材を、前記主軸及び副軸と共に回動する前記回動部材本体と、この回動部材本体の外周に沿って配置されるとともに前記支持体の一部に当接する当接部材とを有しているものとすることが好ましい。さらに、支持体と当接部材との間の摩擦熱の発生や摩耗を有効に回避するためには、前記回動部材本体と当接部材との間に介在して当接部材を回動部材本体に対して空転させる空転部材を設けることが望ましい。
【００１０】
主軸と脚部との間の摩耗や摩擦熱の発生を有効に回避するためには、前記主軸と前記脚部との間に該主軸を回動可能に支持する軸受部材を設け、この軸受部材に前記主軸と共に回動する回動部と、前記脚部に固定されて前記回動部を回動可能に支持する固定部とを設けることが好ましい。より効果的に摩擦や摩耗を回避するためには、前記回動部と前記固定部との間に介在して前記回動部を前記固定部に対して滑動させる滑動部材を設けることが好ましく、また、主軸を脚部に固定するための望ましい態様として、前記脚部が、その主要部をなす脚本体と、該脚本体と前記支持体との間に介在して前記上下動作部の少なくとも一部を隠蔽するケースとを具備するものとして、該ケースに前記主軸を支持させているものを挙げることができる。
【００１１】
一方、支持体の特定の箇所が当接部材と当接することによって摩耗、劣化してしまうことを有効に回避するためには、前記支持体が支持体本体と、該支持体本体に取り付けられ前記回動部材に常に当接するスペーサとを具備しているものとすれば望ましい。併せて、椅子を組立てる際の当接部材と支持体との組み付け収差を有効に解消するためには、前記スペーサに、前記支持体本体に対する取付位置を上下方向及び前後方向に調節可能な位置調節部を形成することが望ましい。このスペーサの仕様としてより望ましいものとして、前記スペーサが前記支持体本体が有する立壁にボルトを介して固定されるものであって、前記位置調節部を、上下方向及び前後方向に傾斜する長孔として前記立壁に形成された前記ボルトを挿通し得るボルト挿通孔としているものを挙げることができる。
【００１２】
支持体と当接部材の当接箇所を、自由度を高く設定することにより、揺動機構全体をコンパクトに構成することや、上下動作部の位置の設定に係る設計自由度を好適に向上させるためには、前記支持体本体に開口部を形成し、該開口部に前記スペーサを取り付けることが望ましい。
【発明の効果】
【００１３】
本発明によれば、上下動作部が直接支持体を上下動させる構成であるため、上下動作させるためにカムのみならずクランクや多数の軸着箇所を設けている従来の椅子に比して部品点数を有効に削減して、構成を簡素化することができる。また、それぞれの部品に必要十分の強度を付与することにより座本体及び支持体に掛かる着座荷重に十分耐えうる構成としても、部品点数の削減により全体をコンパクトに構成することができるので、意匠的効果の高い椅子とすることや、低コストに生産可能な椅子とすることも可能である。さらに、上下動作部は支持体に対して常に当接した状態を保つことにより上下動作部と当接部位とが動作中に衝突しない構成として、該衝突に係る衝撃が使用者に伝わることを有効に回避するとともに、前記衝突による損傷や摩耗を有効に回避して支持体及び上下動作部の耐久性を向上させることが可能となる。
【発明を実施するための最良の形態】
【００１４】
以下、本発明の一実施の形態について図面を参照して説明する。
【００１５】
本実施形態に係る椅子１を図１に示す。この椅子１は、キャスタＣを有する脚羽根２１と脚支柱２２とを具備する脚部２と、使用者による着座荷重を受け座本体３０と該座本体３０を下方より支持する支持体たる座受け３１とからなる座部３と、脚部２に支持されるとともに座部３の側方から後方に亘って立ち上がる左右一対の支持フレームＦによって下端を支持されている背部４と、この一対の支持フレームＦより立ち上がる一対の肘掛け部５とを具備している。
【００１６】
また、本実施形態に係る椅子１は、背部４を後傾させるときには座部３とは連動せず、支持フレームＦにおける円形部材Ｆ１を軸として後傾するチルト機構を採用している。
【００１７】
そして、本実施形態に係る椅子１は、座部３には依存しない脚部２の一部として、座部３のなす角度を一定周期で変動させることにより座部３を揺動させる揺動機構６を介して脚部２と座部３とを組み付けている。以下、この椅子１の構成について、図２、図３、図４、図５及び図６を用いて詳述する。なお、本実施形態において、座部３の下側において座受け３１及び揺動機構６を覆う化粧ケースの図示を省略している。また、図３において支持フレームＦの図示を省略している。
【００１８】
揺動機構６は、上下動作部６０、駆動部６１、電源部６２及び機構ケース６３により構成されており、詳細には、脚支柱２２の上方に水平方向に回転可能に取付られている機構ケース６３の内部或いは外部に、上下動作部６０、駆動部６１及び電源部６２を組み付けている。
【００１９】
電源部６２は、例えば図３に示すように、機構ケース６３の後部に固定されたバッテリ６２１、機構ケース６３の側部より露出させた電源スイッチ６２２及びコネクタ６２３、さらに上端が機構ケース６３より上方へ突出して座部３の内部に収納される着座スイッチ６４を有しており、コネクタ６２３に図示しないＡＣアダプタを介して家庭用１００Ｖコンセントに接続することによりバッテリ６２１を充電するとともに、充電した電力を駆動部６１へ供給する機能を有している。そして、本実施形態に係る椅子１において駆動部６１への電力供給は、電源スイッチ６２２と着座スイッチ６４とがともにＯＮの状態となったときにのみ行われるものとしている。なお、電源スイッチ６２２のみがＯＮとなった状態では、電力供給の可否を着座スイッチ６４に依存する待機状態となっている。
【００２０】
駆動部６１は、図３及び図４に示すように、機構ケース６３の内部に収納されたモータ６１０と、モータ６１０の駆動軸に取り付けられた駆動ギア６１１と、図示しない制御基板に取り付けられた図示しないドライバとにより構成されている。また、本実施形態においてモータ６１０はＤＣブラシレスモータを採用している。ドライバは、電源部により供給された電力がドライバに供給されると、モータ６１０を駆動させるために電流及び周波数を制御された交流電流をモータ６１０に通電するものである。また、ドライバはモータ６１０に掛かる負荷を検知して、供給する電流及び周波数をリアルタイムで制御する機能を有している。モータ６１０による駆動力は駆動ギア６１１を介して上下動作部６０へと伝達される。
【００２１】
上下動作部６０は、図３、図４及び図５に示すように、モータ６１０の駆動力が駆動ギア６１１を介して伝達される減速ギア６０１と、この減速ギア６０１により回動する主軸６０２と、この主軸６０２の両端部において、中心軸６０２ａから偏位させた位置に配された副軸たる一対の回動軸６０３と、この回動軸６０３の中心軸６０３ａを中心とする縦断面視円形状、すなわち側面視円形板状の一対の回動部材６０４とをそれぞれ具備している。
【００２２】
減速ギア６０１は、上述した駆動ギア６１１よりも歯数の大きなギアを採用することにより、モータ６１０の回転速度を適度に減速するとともにトルクを向上させ、座部３を揺動させるために望ましい駆動力として主軸６０２に伝達している。ここで本実施形態においては一例として、駆動ギア６１１：減速ギア６０１のギア比を１：３に設定している。
【００２３】
主軸６０２は減速ギア６０１により伝達された駆動力を、該主軸６０２の両端側に位置するとともに、機構ケース６３の両側に位置する一対の回動部材６０４へと伝達しているとともに、機構ケース６３に設けられた軸受孔６３１に軸受部材６３２を介して支持されている。詳細には、軸受部材６３２は、主軸６０２と共に回動する回動部６３２ａと、機構ケース６３に固定されて前記回動部６３２ａを回動可能に支持する固定部６３２ｂとを具備し、さらに回動部６３２ａと固定部６３２ｂとの間には滑動部材たるベアリング６３２ｃを設けることにより、主軸６０２が回動する際の摩擦による駆動力のロスを低減させている。このベアリング６３２ｃは、固定部６３２ｂの内周面において等間隔に配された複数のボールベアリングから構成され、固定部６３２ｂの内周面及び回動部６３２ａの外周面に設けられた部分球面状の陥没であるベアリング受けに回転可能に保持されることにより各ボールベアリングの相対位置を一定としながら回動部６３２ａを固定部６３２ｂに対して回転させている、また、各ボールベアリングとベアリング受けとの間には十分量の潤滑オイルが充填されており、各ボールベアリングより発生する摩擦を最小限としている。
【００２４】
副軸たる回動軸６０３は、上述した通り、主軸６０２に対して偏位した位置に取り付けられているとともに、この回動軸６０３の周囲には回動軸６０３とともに回動する回動部材本体６０４ｃを設けるとともに、回動軸６０３及び回動部材本体６０４ｃの外周に沿って配置される、当接リング６０４ａを取り付けており、当接リング６０４ａが回動軸６０３及び回動部材本体６０４ｃに対して自由に回転するよう、回動部材本体６０４ｃと当接リング６０４ａとの間には空転部材たるベアリング６０４ｂを配している。このベアリング６０４ｂは、上述した軸受部材６３２に設けたベアリング６３２ｃと同様のものであり、当接リング６０４ａの内周面において等間隔に配された複数のボールベアリングから構成され、当接リングの内周面及び回動部材本体６０４ｃの外周面に設けられた部分球面状の陥没であるベアリング受けに回転可能に保持されている。また、各ボールベアリングとベアリング受けとの間には十分量の潤滑オイルが充填されており、各ボールベアリングより発生する摩擦を最小限としている。そして、回動部材本体６０４ｃと、当接リング６０４ａと、ベアリング６０４ｂとによって回動部材６０４を構成している。
【００２５】
そして、機構ケース６３は、図３及び図４に示すように例えばダイキャスト製の箱体であり、該機構ケース６３の両側には、上述した通り軸受孔６３１を形成して一対の軸受部材６３２を配している。また、座受け３１を支持するための一対の支持部材６３３を両側に取り付けている。
【００２６】
一方、揺動機構６に支持される座部３において、座本体３０は内部に着座者の荷重を緩衝するクッション体を有するとともに、下方より、上述した着座スイッチ６４を内部に収納するための凹部（図示せず）が形成されている。座受け３１は、図２、図３及び図５に示すように、例えば鋼板の溶接及び折り曲げにより構成された座受け本体３１０と、スペーサ３１３とによって構成されている。
【００２７】
座受け本体３１０は、前方に起立する前壁３１０ａ及び側方に起立する一対の立壁たる側壁３１０ｂを、機構ケース６３０を覆うように配している形状としているとともに、一対の側壁３１０ｂには、前後方向において略中央に位置する被支持孔３１１と、被支持孔３１１よりやや前方に位置する開口部３１２と、開口部３１２の上方に位置する２つのめねじ孔３１２ａを形成している。
【００２８】
また、スペーサ３１３は例えば焼き付けされた鋼材のように強度の高い金属により構成された断面視Ｌ字状のブロックであり、図５に示すように、めねじ孔３１２ａの位置にボルトｂを用いてスペーサ３１３を開口部３１２の上辺３１２ｂに取り付けている。また、図６の模式図に示すように、スペーサ３１３には上下方向及び前後方向に傾斜する長孔である、上下方向及び前後方向に調節可能な位置調節部たるボルト挿通孔３１３ａを設けており、座受け本体３１０に対するスペーサ３１３の取付位置を、破線で示す箇所まで、すなわち上下方向及び前後方向に変位可能に設定することができる。
【００２９】
そして、揺動機構６と座部３とは、機構ケース６３に取り付けられた支持部材６３３と座受け本体３１０に設けられた被支持孔３１１とを枢着することにより支持部Ａを構成するとともに、回動部材６０４の当接リング６０４ａの上向面が座受け本体３１０に取り付けられたスペーサ３１３に下方から当接部位ｐにおいて当接させて組み付けている。このとき、着座スイッチ６４の作動子６４２は、その上部が座本体３０が有するクッション体の内部に位置している。
【００３０】
このようにして座部３と接続された揺動機構６が座部３を揺動させる動作について、図３、図７、図８を用いて説明する。
【００３１】
まず電源部６２の電源スイッチ６２２がＯＮにされた待機状態において、使用者が所定位置に着席することにより起こる座本体３０の内部に設けられたクッション体の撓みに作動子６４２が応動することにより着座スイッチ６４がＯＮにされると、バッテリ６２１に蓄電された電力がドライバを通じてモータ６１０を駆動させる。モータ６１０の駆動力は駆動ギア６１１及び減速ギア６０１を通じて主軸６０２に伝達され、主軸６０２が機構ケース６３に支持されながら回転する。すると、回動部材６０４は図７（ａ）、図７（ｂ）、図７（ｃ）、図７（ｄ）に模式的に示すように、主軸６０２の回転に伴って回動軸６０３の中心軸６０３ａが主軸６０２の中心軸６０２ａの周囲を真円状に旋回するとともに、回動軸６０２を中心として、椅子の前後方向及び上下方向の移動を伴いながら回転する。このとき、回動部材６０４の当接リング６０４ａは座受け本体３１０に取り付けられたスペーサ３１３に常に当接した状態を保ち、当接リング６０４ａとスペーサ３１３との当接部位ｐが前後方向に移動しながらスペーサ３１３の位置が回動部材６０４の動作に追従して略上下動する。正確には、図８に示すように、スペーサ３１３及び該スペーサ３１３を取り付けた座受け３１は支持部Ａを支点とした、実線で示した位置から破線で示した位置までを往復する回動運動を行う。すなわち、支持部Ａを支点として支持体３１を、すなわち座本体３０及び支持体３１を上下に揺動させている。加えて上述の通り当接リング６０４ａはベアリング６０４ｂを介して回動軸６０３に取り付けられているため、スペーサ３１３に対する当接リング６０４ａの動きは、摩擦を殆ど発生させることなく前後に転動するのみとなっている。
【００３２】
以上のように、本実施形態に係る椅子１は、揺動機構６が、支持体たる座受け３１の一部であるスペーサ３１３に常に当接し且つ座受け３１及び座本体３０に依存せずに支持部Ａの前方位置においてスペーサ３１３と当接リング６０４ａとの当接部位ｐが上下動作する上下動作部６０を具備し、該上下動作部６０の動作に追従して、支持部Ａを支点として座本体３０及び支持体たる座受け３１、すなわち座部３を揺動させるように構成している。
【００３３】
このようなものとすることにより、上下動作部６０が直接座受け３１を上下動させる構成であるため、上下動作させるためにカムのみならずクランクや多数の軸着箇所を設けている従来の椅子に比して部品点数を有効に削減して、構成を簡素化することができる。また、それぞれの部品に必要十分の強度を付与することにより座部３に掛かる着座荷重に十分耐え得る構成としても部品点数の削減により全体をコンパクトに構成することが可能である。さらに、上下動作部６０の当接リング６０４ａは座受け３１の一部であるスペーサ３１３に対して常に当接した状態を保つことにより当接リング６０４ａとスペーサ３１３とが動作中に衝突しない構成として、該衝突に係る衝撃が使用者に伝わることを有効に回避して座部３を好適に揺動させていることに加え、前記衝突による損傷や摩耗を有効に回避して座受け３１及び上下動作部６０の耐久性並びに上下動作部６０の動作安定性を有効に向上させている。
【００３４】
そして、回動部材６０４の上向面を支持体たる座受け３１の一部であるスペーサ３１３に対して下方から当接させているので、動作を安定させ易く、精度を出しやすい回動運動を採用して、好適に座受け３１を上下動させている。また、縦断面視円形の回動部材６０４の回動軸６０３の中心軸６０３ａと、主軸６０２の中心軸６０２ａとを偏位させて設定することにより、外力に対して強い形状である縦断面視円形の部材を採用して上下動作部６０を好適に構成している。
【００３５】
また、主軸６０２を脚部２の一部である機構ケース６３に対し回動可能に取り付けて、この主軸６０２に偏位して副軸たる回動軸６０３を設けているので、脚部２に対して座部３を好適に揺動させることができる。さらに、回動部材６０４が回動部材本体たる回動軸６０３の外周に沿って配置され座受け３１の一部に当接する当接部材たる当接リング６０４ａを有しているので、この当接リング６０４ａの仕様を適宜選択して望ましい回動部材６０４とすることができる。加えて、当接リング６０４ａを回動軸６０３に対して空転させる空転部材たるベアリング６０４ｂを用いているので、スペーサ３１３と当接リング６０４ａとの間の摩擦熱の発生や摩耗を有効に回避している。
【００３６】
さらに、本実施形態に係る椅子１は、座受け３１が座受け本体３１０にスペーサ３１３を取り付けた構成としているので、座受け本体３１０の特定の箇所が当接リング６０４ａと当接することによって局所的に摩耗、疲労してしまうことを有効に回避している。そして、座受け本体３１０に対するスペーサ３１３の取付位置を調節可能な位置調節部として、ボルト挿通孔３１３ａを上下方向及び前後方向に傾斜する長孔として、椅子１を組立てる際の当接部材６０４とスペーサ３１３との組み付け収差を有効に解消できるものとしている。
【００３７】
特に、本実施形態に係る椅子１において、座受け本体３１０に開口部３１２を形成し、該開口部３１２にスペーサ３１３を取り付けているので、開口部３１３の位置を適宜設定して当接箇所ｐを適宜設定することにより、上下動作部６０を設ける位置に関する設計自由度を向上させている。
【００３８】
また、主軸６０２と機構ケース６３との間に軸受部材６３２を設け、軸受部材６３２の回動部６３２ａと固定部６３２ｂとの間に滑動部材たるベアリング６３２ｃを設けているので、主軸６０２及び機構ケース６３が摩擦や摩耗することを有効に回避している。
【００３９】
そして本実施形態では、脚部２に主軸６０２を固定する態様として、脚部の一部である機構ケース６３に主軸６０２を支持させているので、上下動作部６０を安定して動作させている。
【００４０】
以上、本発明の実施形態について説明したが、各部の具体的な構成は、上述した実施形態のみに限定されるものではない。
【００４１】
例えば、本発明に係る上下動作部として縦断面視円形の回動部材としたが、回動させる部材の形状は円形に限られるものではなく、楕円やその他の形状でも本発明を構成することができ、そのようにすることにより、一定速度の回転運動から単純な上下動以外の揺動パターンを構成することも可能である。さらに、座受けに設けた開口部は単に開口した穴のみに限られる事はなく、上下動作部が下方より当接する当接部位を構成できるものであれば、例えば下方向や横方向に開放した形状を有するものであってもよく、またこのような開口や開放部位を全く設けずに座受け等の支持体を下方より直接当接するような態様であってもよい。
【００４２】
その他、各部の具体的構成についても上記実施形態に限られるものではなく、本発明の趣旨を逸脱しない範囲で種々変形が可能である。
【図面の簡単な説明】
【００４３】
【図１】本発明の一実施形態に係る椅子の斜視図。
【図２】同実施形態に係る椅子の要部側面図。
【図３】同実施形態に係る椅子の要部斜視図。
【図４】同実施形態に係る椅子の要部横断面図。
【図５】同要部縦断面図。
【図６】同実施形態に係る椅子の要部を示す模式的な平面図。
【図７】同実施形態に係る椅子の動作説明図。
【図８】同上。
【符号の説明】
【００４４】
１  …椅子
２  …脚部
３０…座本体
３１…支持体（座受け）
３１０ｂ…立壁（側壁）
３１１…支持体本体（座受け本体）
３１２…開口部
３１３…スペーサ
３１３…位置調節部、ボルト挿通孔（ボルト挿通孔）
６  …揺動機構
６０…上下動作部
６０２…主軸
６０２ａ…主軸の中心軸線（主軸の中心軸）
６０３…副軸、（回動軸）
６０３ａ…副軸の中心軸線（回動軸の中心軸）
６０４…回動部材
６０４ａ…当接部材（当接リング）
６０４ｂ…空転部材（ベアリング）
６０４ｃ…回動部材本体
６３…機構ケース
６３２…軸受部材
６３２ａ…回動部
６３２ｂ…固定部
６３２ｃ…滑動部材（ベアリング）
Ａ  …支持部
ｂ  …ボルト
ｐ  …当接部位
【図１】
2005279065.tif 000003
【図２】
2005279065.tif 000004
【図３】
2005279065.tif 000005
【図４】
2005279065.tif 000006
【図５】
2005279065.tif 000007
【図６】
2005279065.tif 000008
【図７】
2005279065.tif 000009
【図８】
2005279065.tif 000010